(57)【要約】  【課題】缶飲料などの商品を冷却若しくは加温して販売する自動販売機に関し、外箱の形状を保持する補強材などによって断熱性能が低下することを抑制する自動販売機の提供を目的とする。  【解決手段】商品収納コラムおよび缶飲料などの商品の重量を内箱１０４で保持することで、断熱壁を貫通する補強材をなくして断熱性能の低下を抑制するとともに、内箱１０４の周囲に断熱材を接着することで外箱１０１あるいは内箱１０４の変形による貯蔵室間の空気の出入りおよび熱侵入を抑制することができる。【選択図】図２
2007094651.tif 000002
【特許請求の範囲】
【請求項１】
商品を収納する複数のコールド専用室あるいはホット／コールド切替室を有する自動販売機において、前記コールド専用室あるいはホット／コールド切替室を独立に形成する内箱と、前記内箱の上部に取り付けられた支持レールと、前記支持レールに吊り下げられた商品収納コラムと、前記自動販売機の外郭となる外箱とを備え、前記内箱と前記外箱との間を樹脂材料で縁切りしたことを特徴とする自動販売機。
【請求項２】
断熱材を接着したラミネート鋼板で少なくとも内箱の側面を形成したことを特徴とする請求項１に記載の自動販売機。
【請求項３】
オレフィン系発泡樹脂からなる断熱材を接着したラミネート鋼板を用いたことを特徴とする請求項２に記載の自動販売機。
【請求項４】
他の部位よりも低発泡倍率の発泡断熱材で内箱の底面を断熱したことを特徴とする請求項１から３のいずれか一項に記載の自動販売機。
【請求項５】
ハニカム構造材で内箱の底面を断熱したことを特徴とする請求項１から３のいずれか一項に記載の自動販売機。
【発明の詳細な説明】
【技術分野】
【０００１】
本発明は、缶飲料などの商品を加温あるいは冷却して販売する自動販売機において、箱体構造の強度を保持する補強材などを介して侵入する熱量を抑制した断熱構造を有する自動販売機に関するものである。
【背景技術】
【０００２】
近年、自動販売機に対する消費電力量削減の要求が高まってきており、消費電力量削減手段として、加温あるいは冷却の効率向上や、真空断熱材を用いた断熱性能の向上が提案されている。
【０００３】
一般に、缶飲料などの商品を加温あるいは冷却して販売する自動販売機は、商品の貯蔵室と外郭との間にウレタン発泡材などからなる断熱壁を設けて省エネルギー化を図っている一方、商品の貯蔵室内に保管される缶飲料などの商品が重量物であることから、箱体構造の強度を保持するために補強材を取り付けたり、あるいは箱体の変形に追従するために断熱壁の隙間に緩衝材を設けるなどの改良が提案されている（例えば、特許文献１および特許文献２参照）。
【０００４】
図４は従来の自動販売機の縦断面図、図５は従来の自動販売機の縦断面図である。
【０００５】
図４および図５に示すように、従来の自動販売機は、外郭を形成する外箱１の中に、コールド専用室２、第二コールド専用室３、ホット／コールド切替室４からなる貯蔵室を備え、貯蔵室の周囲にウレタン発泡材などからなる断熱壁として背面パネル５、左側面パネル６、右側面パネル７、左仕切り８、右仕切り９を設置している。また、正面にサンプル商品を展示したり、金銭授受や商品搬出を行う外扉１０を設け、外扉１０の内側にウレタン発泡材などからなる断熱壁として内扉１１を設置している。
【０００６】
一般に、コールド専用室２、第二コールド専用室３、ホット／コールド切替室４からなる貯蔵室の内壁面は、薄い鉄板や樹脂からなる内箱（図示せず）で内装されるが、貯蔵室の周囲に配置された断熱壁の表面に樹脂などをラミネートして貯蔵室の内装を代用する場合もある。また、貯蔵室間を断熱する左仕切り８、右仕切り９は、商品収納時に外箱が変形した場合に対応するために、その周縁部に軟質フォーム（図示せず）を貼り付けて隙間を埋めている。また、商品を収納する際に開く中扉１１と外箱１、左仕切り８、右仕切り９の間には、ガスケット（図示せず）が設置されて空気の流入を遮断している。
【０００７】
また、図４および図５に示すように、従来の自動販売機は、内扉１１と同様にウレタン発泡材などからなる断熱壁として、内扉１１の上部に外扉１０と連動して開閉する外扉パネル１２、貯蔵室を連通する上部に天面パネル１３、貯蔵室を連通する下部に底面パネル１４を設置している。また、鉄板からなる外箱１の箱体強度を保持する補強材として、貯蔵室を連通する下部に底板２０と、外箱１の辺縁部にそれぞれ補強材２１、補強材２２、補強材２３、補強材２４、補強材２５、補強材２６を溶接して取り付けている。
【０００８】
一方、ホット／コールド切替室４においては、補強材２３と補強材２４に締結された吊り下げ金具３０を用いて、缶飲料などの商品を保持する複数の商品収納コラム３１，３２，３３を吊り下げることですべての商品を収納している。また、ホット／コールド切替室４の下部にはヒータ３４、庫内ファン３５、蒸発器３６を設置し、貯蔵室の外に設置された圧縮機３７、庫外ファン３８、凝縮器３９とともに形成された冷却加温システムを用いて、貯蔵室内の商品の加温と冷却を行っている。また、ホット／コールド切替室４と同様に、コールド専用室２および第二コールド専用室３においても、補強材２３と補強材２４に締結された吊り下げ金具（図示せず）を用いて、複数の商品収納コラム（図示せず）を吊り下げることですべての商品を収納するとともに、庫内ファン（図示せず）、蒸発器（図示せず）を設置し、貯蔵室の外に設置された圧縮機３７、庫外ファン３８、凝縮器３９とともに形成された冷却加温システムを用いて、貯蔵室内の商品の冷却を行っている。
【０００９】
ここで、外箱１は厚さ０．５〜１ｍｍの鉄板とし、厚さ１．５〜２ｍｍの鉄製の補強材２１〜２６を溶接することで、総重量の軽減と強度保持を両立している。また、缶飲料などの商品を保持する複数の商品収納コラム３１〜３３を吊り下げることで、商品収納コラム自身の剛性が低減でき、軽量かつ安価な構成で総重量１００〜２００ｋｇの重量物となる缶飲料などの商品を保持することができる。
【特許文献１】特開平５−２７４５３９号公報
【特許文献２】特開２００４−９４８１２号公報
【発明の開示】
【発明が解決しようとする課題】
【００１０】
しかしながら、上記従来の構成では、特に貯蔵室内に収納された総重量１００〜２００ｋｇの重量物となる缶飲料などの商品を、発泡樹脂からなる断熱壁を介して外箱１で支えるために、補強材２３と補強材２４などの高強度かつ高熱伝導性の金属材料で外箱１と貯蔵室内を結合する必要があり、この結果、断熱壁で囲われた貯蔵室の断熱性能を著しく低下させるという課題があった。
【００１１】
また、上記従来の構成では、外箱１の辺縁部を補強材２１〜２６で支える構造としたため、外箱１の辺縁部から離れた背面中央部などが太鼓状に膨れて変形しやすく、左仕切り８や右仕切り９の周辺部の隙間が広がってシール性が低下し、この結果、ホット／コールド切替室４をホット設定した場合に温度の違うコールド専用室２、第二コールド専用室３との間で空気が出入りして貯蔵室の断熱性能を著しく低下させるという課題があった。
【００１２】
また、上記従来の構成では、貯蔵室を連通する下部に設置された底面パネル１４が強度不足のため、補強材２５や補強材２６などを貯蔵室内に露出させて、貯蔵室内に設置される庫内ファン、蒸発器などを固定した結果、同様に断熱壁で囲われた貯蔵室の断熱性能を著しく低下させるという課題があった。
【００１３】
本発明は、従来の課題を解決するもので、自動販売機の強度保持構造を改善して補強材による熱侵入を抑制するとともに、断熱材の隙間からの空気の出入りを抑制する構成を提案し、貯蔵室の断熱性能を向上することで消費電力を抑制できる自動販売機を提供することを目的とする。
【課題を解決するための手段】
【００１４】
上記従来の課題を解決するために、本発明の自動販売機は、商品収納コラムおよび缶飲料などの商品の重量を内箱で保持することを特徴とするものである。
【００１５】
これによって、補強材が断熱壁を貫通することを防止でき、補強材による断熱性能の低下を抑制することができる。
【００１６】
また、本発明の自動販売機は、少なくとも貯蔵室の側面の断熱材を内箱と一体にラミネートしたことを特徴とするものである。
【００１７】
これによって、内箱あるいは外箱が変形した場合でも貯蔵室間の空気の出入りおよび熱侵入を防止でき、貯蔵室間の仕切り部分の断熱性能の低下を抑制することができる。
【００１８】
また、本発明の自動販売機は、貯蔵室底面の断熱壁の強度を向上することを特徴とするものである。
【００１９】
これによって、内箱および貯蔵室内に設置する庫内ファン、蒸発器を底面の断熱壁に固定することができ、補強材による断熱性能の低下を抑制することができる。
【発明の効果】
【００２０】
本発明の自動販売機は、自動販売機の強度保持構造を改善して補強材による熱侵入を抑制するとともに、断熱材の隙間からの空気の出入りを抑制する構成を提案し、貯蔵室の断熱性能を向上することで消費電力を抑制できる。
【発明を実施するための最良の形態】
【００２１】
本発明の請求項１に記載の発明は、商品を収納する複数のコールド専用室あるいはホット／コールド切替室を有する自動販売機において、前記コールド専用室あるいはホット／コールド切替室を独立に形成する内箱と、前記内箱の上部に取り付けられた支持レールと、前記支持レールに吊り下げられた商品収納コラムと、前記自動販売機の外郭となる外箱とを備え、前記内箱と前記外箱との間を樹脂材料で縁切りした自動販売機であるので、商品収納コラムの加重を内箱で保持することができ、外箱の補強材が断熱壁を貫通することによる断熱性能の低下を抑制することができる。
【００２２】
本発明の請求項２に記載の発明は、請求項１に記載の発明において、断熱材を接着したラミネート鋼板で少なくとも内箱の側面を形成した自動販売機であるので、内箱あるいは外箱が変形した場合でも貯蔵室間の空気の出入りおよび熱侵入を防止でき、貯蔵室間の仕切り部分の断熱性能の低下を抑制することができる。
【００２３】
本発明の請求項３に記載の発明は、請求項２に記載の発明において、オレフィン系発泡樹脂からなる断熱材を接着したラミネート鋼板を用いた自動販売機であるので、吸湿による断熱性能の低下が小さいため、断熱材の表面に防湿用樹脂フィルムなどを設ける必要がなくその分だけ断熱材の厚さを確保することができ、貯蔵室間の仕切り部の断熱性能を向上することができる。
【００２４】
本発明の請求項４に記載の発明は、請求項１から３のいずれか一項に記載の発明において、他の部位よりも低発泡倍率の発泡断熱材で内箱の底面を断熱した自動販売機であるので、比較的強度の高い低発泡倍率の発泡断熱材で内箱を支えるとともに、内箱および貯蔵室内に設置する庫内ファン、蒸発器を底面の断熱壁に固定することができ、外箱の補強材が断熱壁を貫通することによる断熱性能の低下を抑制することができる。
【００２５】
本発明の請求項５に記載の発明は、請求項１から３のいずれか一項に記載の発明において、ハニカム構造材で内箱の底面を断熱した自動販売機であるので、比較的強度が高く断熱性能のあるハニカム構造材で内箱を支えるとともに、内箱および貯蔵室内に設置する庫内ファン、蒸発器をねじ止めなどの簡易な方法で固定することができ、外箱の補強材が断熱壁を貫通することによる断熱性能の低下を抑制することができる。ここで、ハニカム構造材は、高強度樹脂や金属、セラミックスなどのハニカム状芯材を表裏面材で挟んだものであり、樹脂製の断熱スペーサや熱輻射シールド用金属箔などと複層して用いられる。
【００２６】
以下、本発明による自動販売機の実施の形態について図面を参照しながら説明する。なお、従来と同一構成については、同一符号を付して詳細な説明を省略する。
【００２７】
（実施の形態１）
図１は本発明の実施の形態１における自動販売機の縦断面図、図２は同実施の形態の自動販売機の縦断面図、図３は同実施の形態の自動販売機の内箱の斜視図である。なお、従来と同一の構成については同一番号を付して、詳細な説明は省略する。
【００２８】
図１および図２、図３に示すように、本発明の自動販売機は、外郭を形成する外箱１０１の中に、コールド専用室２、第二コールド専用室３、ホット／コールド切替室４からなる貯蔵室を形成する内箱１０２，１０３，１０４を備え、外箱１０１の前面開口部の箱体強度を保持する補強材１０５，１０６，１０７，１０８と内箱１０２〜１０４を直接締結せずに、底面パネル１０９上に内箱１０２〜１０４を固定している。
【００２９】
ここで、底面パネル１０９は他の部位よりも低発泡倍率の発泡断熱材で形成されるとともに、補強材１１０、１１１で保持された底板２０に固定されている。なお、商品収納コラム３１，３２，３３および缶飲料などの商品の重量を支えるために、底面パネル１０９は０．３ＭＰａ以上の圧縮強度があることが望ましい。
【００３０】
また、ホット／コールド切替室４の内箱１０４の上部には、支持レール３０が取り付けられた内箱天板１１２が設置されるとともに、内箱１０４の下部には、内箱底板１１３が設置される。内箱底板１１３は内箱１０４を支えるとともに、ヒータ３４、庫内ファン３５、蒸発器３６を固定している。そして、商品収納コラム３１〜３３および缶飲料などの商品の重量は、支持レール３０および内箱天板１１２を介して、内箱１０４および内箱底板１１３で支えられる。また、内箱１０４および内箱天板１１２は、オレフィン系発泡樹脂からなる断熱材１２０および１２１を接着したものであり、ホット／コールド切替室４を冷却した際に内箱１０４および内箱天板１１２の内外に結露が生じることを防止している。
【００３１】
ここで、内箱１０４に断熱材１２０を接着することで、商品収納コラム３１〜３３および缶飲料などの商品の重量により外箱１０１あるいは内箱１０４が若干変形しても、内箱１０４外周の断熱材がずれて隣の貯蔵室との間に断熱材の空白部が発生することがないため、断熱性能の低下を抑制することができる。また、内箱１０４と断熱材１２０の接着は組み立て時に行うこともできるが、内箱１０４の板材の成型時にラミネート接着した方が容易に製造できる。なお、断熱材１２０は、缶飲料の冷却時に吸湿しやすく、かつ缶飲料の加温温度が５０〜６０℃と高いことから、ウレタン発泡樹脂よりも吸湿性が低くかつ耐熱性の高いプロピレン系発泡樹脂などのオレフィン系発泡樹脂を用いることが望ましい。
【００３２】
ホット／コールド切替室４と同様に、コールド専用室２および第二コールド専用室３も内箱１０２、１０３を備え、支持レール（図示せず）が取り付けられた内箱天板（図示せず）が設置されるとともに、内箱１０２、１０３の下部には、内箱底板（図示せず）が設置される。内箱底板（図示せず）は内箱１０２、１０３を支えるとともに、庫内ファン（図示せず）、蒸発器（図示せず）を固定している。そして、商品収納コラム（図示せず）および缶飲料などの商品の重量は、支持レール（図示せず）および内箱天板（図示せず）を介して、内箱１０２、１０３および内箱底板（図示せず）で支えられる。また、内箱１０２、１０３は、オレフィン系発泡樹脂からなる断熱材１２２、１２３を接着したものであり、コールド専用室２および第二コールド専用室３を冷却した際に内箱１０２、１０３の内外に結露が生じることを防止している。同様に、内箱１０２、１０３の上部に設置された内箱天板（図示せず）もオレフィン系発泡樹脂からなる断熱材（図示せず）を接着したものであり、コールド専用室２および第二コールド専用室３を冷却した際に内箱１０２、１０３および内箱天板（図示せず）の内外に結露が生じることを防止している。
【００３３】
また、外郭を形成する外箱１０１の内側面には、天面パネル１２４、背面パネル１２５、左側面パネル１２６、右側面パネル１２７からなる断熱材を設置している。これは、内箱１０２〜１０４などに接着されたオレフィン系発泡樹脂からなる断熱材の断熱性能を補うとともに、外箱１０１の強度を補うためである。このように内箱１０２と外箱１０１間はオレフィン系発泡樹脂の断熱材１２０と左側面パネル１２６の断熱材の２層の断熱材が内部で接触して形成されている。内箱１０２と１０３間はオレフィン系発泡樹脂の断熱材が２層になって接触して形成されている。他の内箱と外箱間、内箱と内箱間も上記と同様に形成されている。
【００３４】
上記より、内箱１０２から１０４は、補強材１０５から１０８によって外箱１０１と連続して配置しておらず断熱性能の低下を抑制している。
【００３５】
以上のように、本実施の形態においては、商品収納コラムおよび缶飲料などの商品の重量を内箱で保持することで、補強材が断熱壁を貫通することを防止でき、補強材による断熱性能の低下を抑制することができる。また、オレフィン系発泡樹脂からなる断熱材を内箱と一体に接着することで、商品収納コラムおよび缶飲料などの商品の重量で内箱あるいは外箱が変形した場合でも貯蔵室間の空気の出入りおよび熱侵入を防止でき、貯蔵室間の仕切り部分の断熱性能の低下を抑制することができる。また、底面パネルを低発泡倍率の発泡断熱材で形成することで、内箱および貯蔵室内に設置する庫内ファン、蒸発器を固定することができ、補強材による断熱性能の低下を抑制することができる。
【００３６】
なお、本実施の形態においては、底面パネル１０９は他の部位よりも低発泡倍率の発泡断熱材を用いたが、断熱性が高く、かつ高強度であるハニカム構造材を用いてもよい。ここで、ハニカム構造材は、高強度樹脂や金属、セラミックスなどのハニカム状芯材を表裏面材で挟んだものであり、樹脂製の断熱スペーサや熱輻射シールド用金属箔などと複層して用いられる。この場合、ヒータ３４、庫内ファン３５、蒸発器３６をねじ止めなどの簡易な方法で直接底面パネルに固定するために、内箱底板１１３を廃止して底面パネル１０９の表面材で兼用してもよい。
【産業上の利用可能性】
【００３７】
以上のように、本発明にかかる自動販売機は、商品収納コラムおよび缶飲料などの商品を断熱壁で囲って冷却あるいは加温して保持する場合に、内箱で強度保持する構造を用いることで断熱性能を向上することができるので、缶飲料以外に冷凍食品などを内部に保持する自動販売機や保冷庫などの断熱構造に利用できる。
【図面の簡単な説明】
【００３８】
【図１】本発明の実施の形態１における自動販売機の縦断面図
【図２】本発明の実施の形態１における自動販売機の縦断面図
【図３】本発明の実施の形態１における自動販売機の内箱の斜視図
【図４】従来の自動販売機の縦断面図
【図５】従来の自動販売機の縦断面図
【符号の説明】
【００３９】
３０  支持レール
３１  商品収納コラム
３２  商品収納コラム
３３  商品収納コラム
１０１  外箱
１０４  内箱
１１２  内箱天面
【図１】
2007094651.tif 000003
【図２】
2007094651.tif 000004
【図３】
2007094651.tif 000005
【図４】
2007094651.tif 000006
【図５】
2007094651.tif 000007